(57)【要約】【目的】  開閉扉を扉枠から外すことなく、開閉扉を開放するだけでパチンコ島台の下部空間のより広い範囲を視認することができると共に、必要に応じて開閉扉を容易に着脱できるパチンコ島台を提供する。【構成】  開閉扉３０は、下部を支点として上部が上下方向で回動することにより、扉枠５０の開口部６８を開放する開放状態又は開口部６８を閉塞する閉塞状態のいずれかの状態となるため、開閉扉３０を取り外すことなく容易に扉枠５０の開口部６８全体を開放状態とすることができ、パチンコ島台１の下部空間のより広い範囲を視認することができる。また、開閉扉３０は、扉枠５０に対して着脱できるように支持されているため、必要に応じて開閉扉３０を扉枠５０から容易に取り外すことができ、玉揚送装置５の点検、メンテナンス等を行なう際に開閉扉３０が邪魔になることがない。【選択図】        図９
2007021186.tif 000002
【特許請求の範囲】
【請求項１】
複数の遊技機と、該遊技機で使用され貯留タンクに貯留された遊技媒体を上方へ揚送する玉揚送装置と、該玉揚送装置の下部に臨む開口部が形成された扉枠と、該扉枠に支持されると共に前記開口部を開放又は閉塞のいずれかにする開閉扉と、が設置された遊技機島台において、
前記扉枠の下部には、前記開閉扉の下端部が挿入される縦断面がほぼコ字形状の支持溝と、前記扉枠の前面側の一部を構成する下部支持部材と、が備えられ、
前記開閉扉は、前記下端部を前記支持溝に挿入し且つ前記開閉扉の上部裏面側に備えられた係止部材を前記扉枠に備えられた係止装置に係止させることにより、前記扉枠に対して着脱できるように支持されると共に、前記支持溝に挿入した前記下端部を支点として手前側に回動することにより、前記開口部を開放する開放状態又は前記開口部を閉塞する閉塞状態のいずれかの状態となり、
前記開閉扉が開放状態のときには、該開閉扉が前記下部支持部材の上面に載置されると共に、前記下端部が前記支持溝に水平方向で挿入されることにより、前記開閉扉がほぼ水平となる状態で前記扉枠に対して保持されることを特徴とする遊技機島台。
【請求項２】
前記開閉扉は、左右方向に列設される左開閉扉及び右開閉扉により構成され、
前記左開閉扉又は前記右開閉扉のいずれか一方の開閉扉には、他方の開閉扉と隣り合う側方の裏面側から、前記他方の開閉扉の裏面側に当接するように該他方の開閉扉を保持する保持部材が延設され、
前記他方の開閉扉には、前記保持部材が当接する面に該保持部材と接合する吸着部材が備えられ、
前記一方の開閉扉を開放するとき、前記保持部材が前記吸着部材に当接して前記他方の開閉扉を押圧することにより、該他方の開閉扉も前記一方の開閉扉に追従して開放し、
前記他方の開閉扉を開放するとき、前記一方の開閉扉は、該一方の開閉扉の前記係止部材が前記係止装置に係止されていることにより前記扉枠に固定されて、前記他方の開閉扉に追従することなく開放しないことを特徴とする請求項１記載の遊技機島台。
【請求項３】
前記開閉扉は、左右方向に列設される左開閉扉及び右開閉扉により構成され、
前記左開閉扉又は前記右開閉扉のいずれか一方の開閉扉には、該一方の開閉扉を開閉するときに他方の開閉扉に向けて突出する係合突起が備えられ、
前記一方の開閉扉を開閉するとき、前記係合突起が突出して前記他方の開閉扉に係合することにより、該他方の開閉扉も前記一方の開閉扉に追従して開閉し、
前記他方の開閉扉を開閉するとき、前記係合突起が前記他方の開閉扉に係合しないことにより、前記一方の開閉扉は、前記他方の開閉扉に追従することなく開放しないことを特徴とする請求項１記載の遊技機島台。
【請求項４】
前記支持溝の左右方向両端部には、該支持溝内の遊技媒体を前記扉枠の外部へ誘導するための誘導溝が形成されていることを特徴とする請求項１乃至請求項３のいずれかに記載の遊技機島台。
【請求項５】
前記支持溝には、前記開閉扉が当接する箇所に該開閉扉の表面を保護するための保護部材が備えられていることを特徴とする請求項１乃至請求項４のいずれかに記載の遊技機島台。
【発明の詳細な説明】
【技術分野】
【０００１】
本発明は、複数の遊技機と、該遊技機で使用され貯留タンクに貯留された遊技媒体を上方へ揚送する玉揚送装置と、該玉揚送装置の下部に臨む開口部が形成された扉枠と、該扉枠に支持されると共に前記開口部を開放又は閉塞のいずれかにする開閉扉と、が設置された遊技機島台に関するものである。
【背景技術】
【０００２】
一般的に、遊技場に設置されるパチンコ島台には、パチンコ機で使用され貯留タンクに貯留されたパチンコ玉を上方へ揚送する玉揚送装置が設置されると共に、この玉揚送装置の下部と対応する位置に開閉扉及び開閉扉を支持する扉枠が設置されている。この開閉扉は、通常は閉塞状態となっているが、開放状態とすることにより、玉揚送装置と貯留タンクとの接続部分や駆動モータ等、玉揚送装置の下部に位置する箇所の点検やメンテナンス等を行なうことができるようになっている。
【０００３】
上記のような、開閉扉及び扉枠で構成される扉構造として、扉枠で支持される左右２枚の開閉扉を扉枠内で左右方向にスライドさせるものが提案されている（例えば、特許文献１）。このような扉構造では、スライドさせるだけでは左右２枚の開閉扉を同時に開放することができないものの、開閉扉を扉枠から取り外すことが可能であれば、開閉扉を取り外すことにより、より広い範囲に亘る点検、メンテナンスを行なうことができるものである。
【０００４】
また、開閉扉を左右方向にスライドさせるものの他に、２枚もしくは１枚の開閉扉が扉枠に対して蝶番を介して取り付けられ、この蝶番により開閉扉が上下方向又は左右方向に開閉するものが提案されている（例えば、特許文献２）。このような扉構造では、開閉扉を扉枠から外すことなく、開閉扉を開放するだけでパチンコ島台の下部空間のより広い範囲を視認することができるものである。
【特許文献１】特開２００４−２７５３１１号公報
【特許文献２】実開平６−８６７８３号公報
【発明の開示】
【発明が解決しようとする課題】
【０００５】
しかしながら、上記した特許文献１における扉構造の場合、開閉扉を取り外さなければ、一方の扉の範囲でしか点検、メンテナンスを行なうことができない。このため、より広い範囲に亘る点検、メンテナンスを行なうためには、２枚の開閉扉を取り外さなくてはならず、取り外しのための時間が必要となり、広い範囲に亘る点検、メンテナンスを迅速に行なうことができないという問題があった。
【０００６】
また、開閉扉を扉枠内で左右方向にスライドさせる扉構造で、開閉扉を取り外すことができるようにするためには、少なくとも扉枠の上部に開閉扉の上端部を挿入するための溝を設ける必要があり、取り外した開閉扉を再び扉枠に取り付ける場合、この上部の溝に開閉扉の上端部を挿入しなければならない。しかし、開閉扉及び扉枠は、前述のように、玉揚送装置の下部に対応する位置に設置されるものであるため、必然的にパチンコ島台の下部に設置されると共に、その上方にはパチンコ島台に設けられているカウンター台が位置することとなる。このため、開閉扉を扉枠に取り付けるために開閉扉の上端部を扉枠上部の溝に挿入する際、扉枠上部の溝が視認し難く作業が非常に難儀であるという問題があった。
【０００７】
また、上記した特許文献２における扉構造の場合、開閉扉を開放するだけでパチンコ島台の下部空間のより広い範囲を視認することができるものの、開閉扉が扉枠に対して蝶番によって取り付けられているため、場合によっては開放された開閉扉が点検、メンテナンス時の邪魔になってしまうことがあった。このため、点検、メンテナンス時に開閉扉が邪魔になる場合には、開閉扉を取り外す必要があるが、そのためには、蝶番を開閉扉又は扉枠から取り外さなければならず、やはり、取り外しのための時間が必要となり、点検、メンテナンスを迅速に行なうことができないという問題があった。
【０００８】
本発明は、上記した事情に鑑みなされたもので、その目的とするところは、開閉扉を扉枠から外すことなく、開閉扉を開放するだけでパチンコ島台の下部空間のより広い範囲を視認することができると共に、必要に応じて開閉扉を容易に着脱できるパチンコ島台を提供することを目的とする。
【課題を解決するための手段】
【０００９】
上記した目的を達成するために、請求項１に係る発明においては、図３乃至図７に示すように、複数の遊技機（例えば、パチンコ機２）と、該パチンコ機２で使用され貯留タンク９に貯留された遊技媒体（パチンコ玉）を上方へ揚送する玉揚送装置５と、該玉揚送装置５の下部に臨む開口部６８が形成された扉枠５０と、該扉枠５０に支持されると共に前記開口部６８を開放又は閉塞のいずれかにする開閉扉３０と、が設置された遊技機島台（パチンコ島台１）において、前記扉枠５０の下部には、前記開閉扉３０の下端部３９が挿入される縦断面がほぼコ字形状の支持溝６２と、前記扉枠５０の前面側の一部を構成する下部支持部材（例えば、下部表板５６）と、が備えられ、前記開閉扉３０は、前記下端部３９を前記支持溝６２に挿入し且つ前記開閉扉３０の上部裏面側に備えられた係止部材３５を前記扉枠５０に備えられた係止装置６１に係止させることにより、前記扉枠５０に対して着脱できるように支持されると共に、前記支持溝６２に挿入した前記下端部３９を支点として手前側に回動することにより、前記開口部６８を開放する開放状態又は前記開口部６８を閉塞する閉塞状態のいずれかの状態となり、前記開閉扉３０が開放状態のときには、該開閉扉３０が前記下部表板５６の上面に載置されると共に、前記下端部３９が前記支持溝６２に水平方向で挿入されることにより、前記開閉扉３０がほぼ水平となる状態で前記扉枠５０に対して保持されることを特徴とする。
【００１０】
また、請求項２に係る発明においては、図８及び図９に示すように、請求項１記載のパチンコ島台１は、前記開閉扉３０は、左右方向に列設される左開閉扉３０ｂ及び右開閉扉３０ａにより構成され、前記左開閉扉３０ｂ又は前記右開閉扉３０ａのいずれか一方の開閉扉３０には、他方の開閉扉３０と隣り合う側方の裏面側から、前記他方の開閉扉３０の裏面側に当接するように該他方の開閉扉を保持する保持部材（例えば、磁性体により形成される保持部材３８）が延設され、前記他方の開閉扉３０には、前記保持部材３８が当接する面に該保持部材３８と接合する吸着部材（例えば、保持部材に対して吸着性を持つ金属板３７）が備えられ、前記一方の開閉扉３０を開放するとき、前記保持部材３８が前記吸着部材３７に当接して前記他方の開閉扉３０を押圧することにより、該他方の開閉扉３０も前記一方の開閉扉３０に追従して開放し、前記他方の開閉扉３０を開放するとき、前記一方の開閉扉３０は、該一方の開閉扉３０の前記係止部材３５が前記係止装置６１に係止されていることにより前記扉枠５０に固定されて、前記他方の開閉扉３０に追従することなく開放しないことを特徴とする。
【００１１】
また、請求項３に係る発明においては、請求項１記載のパチンコ島台１は、前記開閉扉３０は、左右方向に列設される左開閉扉３０ｂ及び右開閉扉３０ａにより構成され、前記左開閉扉３０ｂ又は前記右開閉扉３０ａのいずれか一方の開閉扉３０には、該一方の開閉扉３０を開閉するときに他方の開閉扉３０に向けて突出する係合突起が備えられ、前記一方の開閉扉３０を開閉するとき、前記係合突起が突出して前記他方の開閉扉３０に係合することにより、該他方の開閉扉３０も前記一方の開閉扉３０に追従して開閉し、前記他方の開閉扉３０を開閉するとき、前記係合突起が前記他方の開閉扉３０に係合しないことにより、前記一方の開閉扉３０は、前記他方の開閉扉３０に追従することなく開放しないことを特徴とする。
【００１２】
また、請求項４に係る発明においては、図１１に示すように、請求項１乃至請求項３のいずれかに記載のパチンコ島台１は、前記支持溝６２の左右方向両端部には、該支持溝６２内のパチンコ玉を前記扉枠５０の外部へ誘導するための誘導溝６５が形成されていることを特徴とする。
【００１３】
また、請求項５に係る発明においては、図４に示すように、請求項１乃至請求項４のいずれかに記載のパチンコ島台１は、前記支持溝６２には、前記開閉扉３０が当接する箇所に該開閉扉３０の表面を保護するための保護部材６７が備えられていることを特徴とする。
【発明の効果】
【００１４】
請求項１に係る発明においては、開閉扉３０は、下端部３９を支点として手前側に回動することにより、扉枠５０の開口部６８を開放する開放状態又は開口部６８を閉塞する閉塞状態のいずれかの状態となるため、開閉扉３０を取り外すことなく容易に扉枠５０の開口部６８全体を開放状態とすることができ、パチンコ島台１の下部空間のより広い範囲を視認することができる。
【００１５】
また、開放状態のときに開閉扉３０がほぼ水平となる状態で扉枠５０に対して保持されるため、パチンコ島台１の下部空間を視認するだけのような、開閉扉３０を取り外す必要のない場合には、開閉扉３０を扉枠５０に保持させることができ、開閉扉３０を取り外すことで開閉扉３０が傷付くということがない。
【００１６】
また、開閉扉３０は、扉枠５０に対して着脱できるように支持されているため、必要に応じて開閉扉３０を扉枠５０から容易に取り外すことができ、玉揚送装置５の点検、メンテナンス等を行なう際に開閉扉３０が邪魔になることがない。
【００１７】
また、本実施形態に係る扉構造は、開閉扉３０を扉枠５０で支持する際、開閉扉３０の上端部を扉枠５０に挿入する構造ではなく、開閉扉３０の下端部のみを扉枠５０に挿入させる構造であるため、扉枠５０が低い位置にあり、カウンター台によって扉枠５０の上部が見え難い場合であっても、開閉扉３０を扉枠５０に容易に取り付けることができる。
【００１８】
また、請求項２に係る発明においては、開閉扉３０は、左右方向に列設される左開閉扉３０ｂ及び右開閉扉３０ａにより構成され、左開閉扉３０ｂ又は右開閉扉３０ａのいずれか一方の開閉扉３０には、他方の開閉扉３０と隣り合う側方の裏面側から、他方の開閉扉３０の裏面側に当接するように該他方の開閉扉を保持する保持部材３８が延設され、他方の開閉扉３０には、保持部材３８が当接する面に該保持部材３８と接合する吸着部材が備えられ、一方の開閉扉３０を開放するとき、保持部材３８が吸着部材に当接して他方の開閉扉３０を押圧することにより、他方の開閉扉３０も一方の開閉扉３０に追従して開放し、他方の開閉扉３０を開放するとき、一方の開閉扉３０は、一方の開閉扉３０の係止部材３５が係止装置６１に係止されていることにより扉枠５０に固定されて、他方の開閉扉３０に追従することなく開放しない。
【００１９】
このため、例えば、玉揚送装置５と貯留タンク９との連結部分に備えられたシャッター装置１２等の、点検する頻度が高い箇所に単独で開閉する開閉扉３０を臨ませることにより、必要以上に広い範囲で開閉扉３０を開放することなく、必要な箇所だけを開放することができる。そして、パチンコ島台１の下部空間のより広い範囲を視認したいときには、もう一方の開閉扉３０を開放させるだけで両方の開閉扉３０を同時に開放することができる。
【００２０】
また、請求項３に係る発明においては、開閉扉３０は、左右方向に列設される左開閉扉３０ｂ及び右開閉扉３０ａにより構成され、左開閉扉３０ｂ又は右開閉扉３０ａのいずれか一方の開閉扉３０には、一方の開閉扉３０を開閉するときに他方の開閉扉３０に向けて突出する係合突起が備えられ、一方の開閉扉３０を開閉するとき、係合突起が突出して他方の開閉扉３０に係合することにより、他方の開閉扉３０も一方の開閉扉３０に追従して開閉し、他方の開閉扉３０を開閉するとき、係合突起が他方の開閉扉３０に係合しないことにより、一方の開閉扉３０は、他方の開閉扉３０に追従することなく開放しない。これにより、一方の開閉扉３０を開閉するときに他方の開閉扉３０が確実に一方の開閉扉３０に追従して開閉するため、容易にパチンコ島台１の下部空間のより広い範囲を開放状態とすることができると共に、開閉扉３０全体を確実に閉塞状態とすることができる。
【００２１】
また、請求項４に係る発明においては、支持溝６２の左右方向両端部には、支持溝６２内のパチンコ玉を扉枠５０の外部へ誘導するための誘導溝６５が形成されているため、玉揚送装置５等からこぼれ落ちて支持溝６２内に入ってしまったパチンコ玉を容易に取り出すことができ、開閉扉３０を扉枠５０に確実に取り付けることができる。
【００２２】
また、請求項５に係る発明においては、支持溝６２には、開閉扉３０が当接する箇所に開閉扉３０の表面を保護するための保護部材６７が備えられているため、開閉扉３０の表面が支持溝６２の角部等に直接接触することがなく、開閉扉３０の表面が傷つくことを防止することができる。
【発明を実施するための最良の形態】
【００２３】
以下、図面を参照して本発明の実施形態について説明する。先ず、図１及び図２を参照して本実施形態に係るパチンコ島台１の概略構成について説明する。図１は、実施形態に係るパチンコ島台１の正面図であり、図２は、実施形態に係るパチンコ島台１の内部を示す断面図である。図１において、パチンコ島台１は、周知のように、直方体状に枠組み構成され、その長手方向側面にパチンコ機２を背向並設するようになっている。このパチンコ機２の下端に配設されるカウンター台１６より下方の下部空間には、図２に示すように、貯留タンク９が設けられており、この貯留タンク９は、多量のパチンコ玉を貯留する程大きく形成されている。具体的には、貯留タンク９内に形成される貯留部９ａに貯留されるパチンコ玉数が、当該パチンコ島台１に設置される複数のパチンコ機２の各種の遊技状態に十分対処し得る程度（例えば、各１５〜２０万個ずつ）となるような大きさに設計されている。なお、図２に示すように、本実施形態に係る貯留タンク９は、パチンコ島台１の長手方向ほぼ中央に設置された、後述する玉揚送装置５の一側方にのみ設置されている。
【００２４】
また、パチンコ島台１には、その中央部に形成される玉揚送装置収納部４の一側にパチンコ機２で獲得したパチンコ玉を返却するための玉返却装置３（「ＪＣ」と略称する場合もある。）もパチンコ機２と並列状に設けられている。この玉返却装置３もパチンコ機２と同様に、パチンコ島台１の両側面の玉返却装置３が互いに背向するように設置されている。なお、玉返却装置３には、返却口３ａが形成され、その返却口３ａから返却されたパチンコ玉（賞球）は、接続樋（図示しない）を介して貯留タンク９内の上部に設けられた搬送樋（図示しない）上に導かれるようになっている。さらに、玉返却装置３の返却口３ａは、パチンコ島台１の貯留量がほぼ上限に達した状態となったときに、図示しない電気的駆動源（例えば、モータやソレノイド）によって開閉駆動されるＪＣシャッター装置（図示しない）が閉鎖することによって返却動作が禁止され、その状態が解除されたときに開放されるようになっている。
【００２５】
上記したパチンコ機２とパチンコ機２との間には、後述するように、台間玉貸機１５が設けられているが、この台間玉貸機１５とパチンコ機２との間に隙間が形成される場合がある。この台間玉貸機１５とパチンコ機２との間の隙間から、パチンコ機２の側面にキリ等により穴を開けることにより、パチンコ機２内の制御基板等への不正行為が行われることを防止するため、台間玉貸機１５とパチンコ機２との間の隙間には、間仕切りが取り付けられている。この間仕切りは、パチンコ島台１に取り付けられるフランジ部と、パチンコ機２の側面に当接する保護部と、から構成されるものであり、保護部は、奥行き方向でその長さを変更することができ、パチンコ島台１に設置されたパチンコ機２に対応させることができるようになっている。
【００２６】
また、本実施形態に係るパチンコ機２には、各々、いわゆるＵＳＢ接続のワイヤレス機器が接続されており、各々のパチンコ機２におけるスタート，大当り，確変等に関するデータを無線によってホールコンピュータに送信することができるようになっているため、各パチンコ機２とホールコンピュータとの配線の必要がなくなり、これにより、新台入替の簡素化やホールにおけるコスト削減を図ることができる。
【００２７】
また、パチンコ島台１の長手方向ほぼ中央には、上記したように玉揚送装置収納部４が形成され、該玉揚送装置収納部４内に玉揚送装置５が収納設置されている。本実施形態に係る玉揚送装置５は、帯状の搬送ベルト５ａによってパチンコ玉を揚送するものであり、その帯状の搬送ベルト５ａがパチンコ島台１に対して縦方向（直交方向）に設置されてパチンコ玉を上部に揚送するものである。玉揚送装置５の上部には、揚送されたパチンコ玉を一時的に貯留する上部タンク６が設けられている。その上部タンク６からは、左右に補給樋７が傾斜状に設けられており、上部タンク６からパチンコ玉を流下させるようになっている。この補給樋７には、各パチンコ機２に対応して分配シュート（図示しない）が設けられ、補給樋７を流下するパチンコ玉を取り込むようになっている。分配シュートによって取り込まれたパチンコ玉は、分配シュートの下部に設けられる計数装置（図示しない）によって計数された後、パチンコ機２の背面上部に設けられる賞球タンク（図示しない）に供給され、遊技によって遊技者に払い出される賞球として使用される。また、図１に示すように、各パチンコ機２に挟まれるようにして、パチンコ玉を貸し出すための台間玉貸機１５が設けられているが、分配シュートは、この台間玉貸機１５にも接続されている。なお、上記した補給樋７の表面には、フッ素樹脂が塗布されてパチンコ玉が滑り易くなっており、パチンコ玉が補給樋７内を流下し易いため、パチンコ玉をよりスムーズに循環することができる。
【００２８】
なお、本実施形態に係るパチンコ機２の上皿には、上記した台間玉貸機１５に接続してある分配シュートを台間玉貸機１５から取り外して取り付けられるようになっている。即ち、補給樋７から直接パチンコ機２の上皿へパチンコ玉を供給することができるようになっている。これは、遊技場がパチンコ機２の新台入替等をしたときに、種々のデータを採取するために試打ちを行なうが、このとき、パチンコ機２の上皿へのパチンコ玉の供給の手間を省くためのものである。
【００２９】
一方、各パチンコ機２で使用された使用済玉は、計数機能を有するアウト玉箱（図示しない）へ排出され、このアウト玉箱の玉排出ノズル（図示しない）から下方に排出される。この玉排出ノズルは、パチンコ島台１の長手方向の両端部から中央に向けて下り傾斜して形成される誘導樋８，１０に臨んで配されている。そして、誘導樋８，１０は、貯留タンク９に形成された第１玉導入口２０及び第２玉導入口２１にそれぞれ接続されている。これにより、アウト玉箱から排出されたパチンコ玉は、誘導樋８，１０で回収された後、第１玉導入口２０及び第２玉導入口２１を介して貯留タンク９内に導かれるようになっている。なお、貯留タンク９の上方に位置するパチンコ機２から排出されたパチンコ玉は、アウト玉箱の玉排出ノズルから直接貯留タンク９内に排出されるようになっている。なお、誘導樋８，１０は、上記した補給樋７と同様に、その表面にフッ素樹脂が塗布されてパチンコ玉が滑り易くなっており、パチンコ玉が誘導樋８，１０内を流下し易いため、パチンコ玉をよりスムーズに循環することができる。
【００３０】
そして、貯留タンク９内へ導かれたパチンコ玉は、貯留タンク９の傾斜底面１３を転動し、貯留タンク９に形成された玉導出口２２からこの玉導出口２２に接続された導入樋２３を介して玉揚送装置５に送り込まれる。このように、貯留タンク９から玉揚送装置５へのパチンコ玉の転送がスムーズに行われ、玉揚送装置５を常に効率的に駆動することができる。
【００３１】
また、上記した貯留タンク９には、上部タンク６から延設されるオーバーフローホース１１が接続されている。このオーバーフローホース１１は、パチンコ機２にパチンコ玉が行き渡って補給樋７にパチンコ玉が充満し、玉揚送装置５によって揚送されたパチンコ玉を補給樋７に誘導できなくなったときに、このパチンコ玉が誘導されるものである。即ち、上部タンク６でオーバーフローしたパチンコ玉を貯留タンク９に導くためのものであり、オーバーフローホース１１によって貯留タンク９に導かれたパチンコ玉は、貯留タンク９の傾斜底面１３上に排出され、傾斜底面１３から玉導出口２２及び導入樋２３を介して玉揚送装置５に送り込まれる。
【００３２】
このオーバーフローホース１１は、図２に示すように、上部タンク６と貯留タンク９とを接続する間で、通常、屈曲させて設けられているが、オーバーフローホース１１内には、常に多量のパチンコ玉が流れているため、屈曲している箇所等は、パチンコ玉の衝突により破損し易くなっている。このため、屈曲部分等の破損し易い箇所には、オーバーフローホース１１用のプロテクター（図示しない）が巻かれている。このプロテクターは、その端部にベルト状の部材が取り付けられており、プロテクターをオーバーフローホース１１に巻きつけた後、ベルト状の部材で締め付けることにより、容易にオーバーフローホース１１に取り付けられる。そして、破損した場合には、ベルト状の部材を緩めることにより取り外し、新しいプロテクターと取り替える。このように、オーバーフローホース１１が局部的に破損した場合に、オーバーフローホース１１全体を取り替える必要がないため、補修コストの低減を図ることができる。
【００３３】
なお、上記した貯留タンク９の玉導出口２２には、玉導出口２２の開閉を行うシャッター装置１２が設けられている。シャッター装置１２は、通常時には玉導出口２２を開放して玉揚送装置５へのパチンコ玉の流下を可能にする一方、玉揚送装置５の故障等の異常発生時及び営業終了時には玉導出口２２を閉鎖して玉揚送装置５へのパチンコ玉の流下を阻止するようになっている。
【００３４】
また、パチンコ島台１の上部には、長方形状の欄間１４が複数個左右方向に設けられている。この欄間１４は、前述した補給樋７と対応する位置に設けられており、開放することにより、補給樋７でのパチンコ玉の詰まりを解消するための作業等をすることができる。この欄間１４の一端には、図１３に示すように、欄間１４と欄間１４との間に形成される隙間１８を隠すための隙間隠し１７が取り付けられている。欄間１４は、遊技場に暖房が入ることにより、その長さ寸法が伸びるため、隣接する欄間１４との間に隙間を持たせているが、長さ寸法が伸びていないときにはパチンコ島台１の内部が見えてしまう。このため、パチンコ島台１の内部が見えないように、隙間隠し１７が取り付けられている。この隙間隠し１７は、ゴム系等の弾力性のある材料により形成されるものであり、取り付けネジ等によって欄間１４の裏面側に固定されている。
【００３５】
また、前述したように、パチンコ島台１の長手方向ほぼ中央に形成された玉揚送装置収納部４内には、玉揚送装置５が収納設置されているが、この玉揚送装置収納部４の下部には、玉揚送装置５の下部に臨む開口部６８が形成された扉枠５０と、この扉枠５０に支持されると共に前記開口部６８を開放又は閉塞のいずれかにする開閉扉３０と、が設置されている。なお、この開閉扉３０と扉枠５０については、後に詳述する。
【００３６】
また、上記した玉揚送装置５は、この玉揚送装置５の点検や修理、あるいは、研磨ベルトを交換するとき等のために、パチンコ島台１から取り外すことができる。玉揚送装置５をパチンコ島台１から取り外す際には、まず、上部タンク６に形成されている上部タンク扉６ａ及び玉揚送装置収納部４に形成されている収納部扉４ａを開放する。上部タンク扉６ａ及び収納部扉４ａを開放した後、上記した開閉扉３０及び扉枠５０を取り外す。そして、前述したカウンター台１６は、扉枠５０の上方に位置する部分を個別にパチンコ島台１から取り外すことができるようになっているため、開閉扉３０及び扉枠５０を取り外した状態で、カウンター台１６の扉枠５０の上方に位置する部分をパチンコ島台１から取り外す。これにより、玉揚送装置収納部４の表側部分が開放されるため、この開放した空間から玉揚送装置５を手前に引き出すことにより、玉揚送装置５を取り外すことができる。玉揚送装置５の点検、修理等の作業が終了したら、上記と逆の手順で玉揚送装置５をパチンコ島台１に再び収納することができる。
【００３７】
以上、本実施形態に係るパチンコ島台１の概略構成について説明したが、次に、本実施形態の要部を構成する、開閉扉３０と扉枠５０について図３乃至図１１を参照して説明する。図３は、開閉扉３０が閉塞された状態の開閉扉３０と扉枠５０の斜視図であり、図４は、扉枠５０の支持溝６２に開閉扉３０を挿入する状態を示す断面図及び部分拡大図であり、図５は、扉枠５０に開閉扉３０を取り付けた状態を示す断面図であり、図６は、図５におけるＡ−Ａ断面図であり、図７は、開閉扉３０を水平な状態で扉枠５０により支持している状態を示す断面図であり、図８は、開閉扉３０のうち、右開閉扉３０ａを開放した状態を示す開閉扉３０及び扉枠５０の斜視図であり、図９は、右開閉扉３０ａ及び左開閉扉３０ｂを開放した状態を示す開閉扉３０及び扉枠５０の斜視図であり、図１０は、図９におけるＢからみた図であり、図１１は、誘導溝６５を示す部分断面図である。
【００３８】
本実施形態に係る開閉扉３０及び扉枠５０は、前述したように、玉揚送装置収納部４の下部に設置されている。なお、この開閉扉３０及び扉枠５０の上方には、図１で示すように、前述した玉返却装置３も位置している。
【００３９】
また、開閉扉３０は、右開閉扉３０ａと左開閉扉３０ｂとから構成されるものであるが、右開閉扉３０ａと左開閉扉３０ｂが扉枠５０によってパチンコ島台１に設置された状態では、図１で示すように、玉揚送装置５と貯留タンク９との接続部分近傍に右開閉扉３０ａが位置し、玉揚送装置５の下部に設置された下部ローラ近傍に左開閉扉３０ｂが位置するようになっている。
【００４０】
従って、右開閉扉３０ａを開放したときには、玉揚送装置５と貯留タンク９との接続部分に備えられたシャッター装置１２や導入樋２３等を臨むことができ、左開閉扉３０ｂを開放したときには、下部ローラ等を臨むことができる。
【００４１】
ここで、下部ローラ等よりもシャッター装置１２や導入樋２３等のほうが点検等をする頻度が高いため、右開閉扉３０ａを開閉する頻度も高い。このため、開閉の頻度の高い右開閉扉３０ａは、単独で開閉できるようになっている。一方、左開閉扉３０ｂを開閉することにより、右開閉扉３０ａも左開閉扉３０ｂに追従して開閉するようになっている。この構造については、後に詳述する。
【００４２】
次に、開閉扉３０と扉枠５０の構造について、それぞれ以下に説明する。本実施形態に係る開閉扉３０と扉枠５０は、開閉扉３０が閉塞したときには、図３のような状態となる。まず、扉枠５０は、図９で示すように、板状の部材を組み合わせることにより、横長の長方形状に形成されるものであり、その中央に開口部６８が形成されている。扉枠５０は、左右両側方にそれぞれ側板５１，５２が、上部に上部枠板５３が、下部に下部枠板５４が位置することにより枠組みされ、上部枠板５３の表側には上部表板５５が、下部枠板５４の表側には下部表板５６がそれぞれ取り付けられている。
【００４３】
また、上記した上部枠板５３の下端部分には、開閉扉３０の後述する係止部材３５が挿入される挿入部６０が２箇所形成されており、この挿入部６０の裏面側には、係止部材３５が係止される係止装置６１が取り付けられている。係止装置６１は、例えば、樹脂材料のような弾力性のある材料によって、図６に示すように、ほぼコ字形状に形成されるものであり、その内側には、係止部材３５を係止する２本の係止片６１ａが突設されている。この係止装置６１に係止部材３５が係止される構造については、後に詳述する。
【００４４】
また、上記した下部枠板５４には、図４に示すように、下部表板５６の上端部との間で、開閉扉３０の後述する下端部３９が挿入される支持溝６２が形成されている。支持溝６２は、その断面形状がほぼコ字形状に形成されるものであり、その下面は開閉扉３０が載置される支持溝底面６３として形成されると共に、この支持溝底面６３の奥側には、奥から手前に向かって下り傾斜する傾斜底面６４が形成されている。また、この傾斜底面６４の上方には、扉枠５０に対して開閉扉３０が水平状態で支持されているときに、開閉扉３０の下端部３９に当接する板ばね状の付勢部材６６が取り付けられている。また、上記した支持溝底面６３から下部表板５６の上端に亘る範囲の表面には、図４の部分拡大図に示すように、シート状の保護部材６７が備えられている。この保護部材６７は、例えば、ゴム，ウレタン，シリコン等の弾力性を有する材料により形成されるものである。支持溝底面６３から下部表板５６の上端に亘る範囲は開閉扉３０が当接する箇所であり、このように、支持溝６２の開閉扉３０が当接する箇所に開閉扉３０の表面を保護するための弾力性を有する保護部材６７が備えられているため、開閉扉３０の表面が支持溝６２の角部等に直接接触することがなく、開閉扉３０の表面が傷つくことを防止することができる。
【００４５】
なお、保護部材６７は、上記したようなシート状のものに限らず、開閉扉３０の表面が直接、支持溝底面６３から下部表板５６の上端に亘る範囲に接しないようにする形状のものであればよい。例えば、支持溝底面６３から下部表板５６の上端に亘る範囲の表面の一部に、扉枠５０の左右方向でレール状に備えられるようなものであってもよい。
【００４６】
また、支持溝６２の左右方向両端部には、図１１に示すような、支持溝６２内のパチンコ玉を扉枠５０の外部へ誘導するための誘導溝６５が形成されている。このため、玉揚送装置５等からこぼれ落ちて支持溝６２内に入ってしまったパチンコ玉を容易に取り出すことができ、開閉扉３０を扉枠５０に確実に取り付けることができる。
【００４７】
なお、上記した実施形態では、下部枠板５４の表側に下部表板５６が取り付けられると共に、下部表板５６の上端部が下部枠板５４の支持溝底面６３よりも突出している形状のものを示したが、このようなものに限らず、例えば、下部表板５６の突出した上端部を除く部分と下部枠板５４とが一体的に形成されると共に、突出した上端部が別部材で形成されるようなものであってもよい。
【００４８】
また、下部枠板５４，下部表板５６の突出した上端部を除く部分，下部表板５６の突出した上端部がそれぞれ別部材で形成されるようなものであってもよい。
【００４９】
更に、下部表板５６の上端部が下部枠板５４の支持溝底面６３よりも突出した状態で下部表板５６と下部枠板５４とが一体的に形成されるようなものであってもよい。
【００５０】
次に、開閉扉３０について説明すると、開閉扉３０は、前述のように、右開閉扉３０ａと左開閉扉３０ｂとにより構成されるものであるが、まず、共通する構成について説明する。開閉扉３０は、開閉扉３０の表面側に位置する表板３１と、表板３１の裏面側に設けられた吸音材３２と、から構成されており、吸音材３２には、騒音を吸収するための吸音孔３３が複数形成されている。
【００５１】
また、表板３１の裏面側上部には、開閉扉３０を閉塞した状態で扉枠５０に取り付けた際、扉枠５０の係止装置６１に係止する係止部材３５が突設されている。この係止部材３５は、図６に示すように、先端が鋭角状に形成されると共に、前述した係止装置６１の係止片６１ａが係止される係止凹部３６が形成されている。そして、開閉扉３０を閉塞した際には、係止部材３５がその先端で係止片６１ａを押し開きながら２つの係止片６１ａの間に入り、係止片６１ａの先端部が係止部材３５の係止凹部３６に係止することにより、係止部材３５が係止装置６１に固定される。これにより、開閉扉３０を閉塞した状態で扉枠５０に固定されることとなる。
【００５２】
また、表板３１の表面側上部には、開閉扉３０を開閉する際に手を掛けるための取手３４が備えられていると共に、表板３１の下端部は、開閉扉３０を扉枠５０に取り付けた際に、扉枠５０の支持溝６２に挿入される下端部３９として形成されている。
【００５３】
以上、右開閉扉３０ａと左開閉扉３０ｂとの共通する構成について説明したが、ここで、右開閉扉３０ａ特有の構成としては、右開閉扉３０ａの表板３１の裏面側であって左開閉扉３０ｂ側の端部には、図８に示すように、金属板（吸着部材）３７が備えられている。また、左開閉扉３０ｂ特有の構成としては、左開閉扉３０ｂの表板３１の裏面側であって右開閉扉３０ａ側の端部には、図９に示すように、吸音材３２と並列状に保持部材３８が備えられている。この保持部材３８は、左開閉扉３０ｂの裏面側から、右開放扉３０ａの裏面側に当接するように延設されるものである。また、この保持部材３８は、磁性体の材料で形成されるものであるため、図３で示すように、右開閉扉３０ａ及び左開閉扉３０ｂの両方が閉塞状態となっている場合や、図９で示すように、右開閉扉３０ａ及び左開閉扉３０ｂの両方が開放状態となっている場合には、右開閉扉３０ａの金属板３７が左開閉扉３０ｂの保持部材３８に吸着するようになっている。そして、右開閉扉３０ａの金属板３７が左開閉扉３０ｂの保持部材３８に吸着すると、図１０に示すような状態となる。
【００５４】
以上、開閉扉３０の構成について説明したが、次に、この開閉扉３０の開閉操作について説明する。まず、開閉扉３０を扉枠５０に取り付ける際には、図４に示すように、扉枠５０の支持溝６２に対して矢印ａで示す方向で開閉扉３０の下端部３９を挿入し、開閉扉３０を支持溝底面６３上に載置する。開閉扉３０を支持溝底面６３上に載置した後、図５に示すように、矢印ｂで示す方向に開閉扉３の下部を支点として開閉扉３０を回動させる。これにより、前述したように、開閉扉３０の係止部材３５が扉枠５０の係止装置６１に係止するため、開閉扉３０が扉枠５０に対して固定されることとなる。
【００５５】
また、本実施形態に係る扉構造は、開閉扉３０を扉枠５０で支持する際、開閉扉３０の上端部を扉枠５０に挿入する構造ではなく、開閉扉３０の下端部のみを扉枠５０に挿入させる構造であるため、扉枠５０が低い位置にあり、カウンター台によって扉枠５０の上部が見え難い場合であっても、開閉扉３０を扉枠５０に容易に取り付けることができる。
【００５６】
開閉扉３０が扉枠５０に対して固定された状態から、図７に示すように、矢印ｃで示す方向に開閉扉３の下部を支点として開閉扉３０を回動させる。このとき、係止装置６１に係止していた係止部材３５の係止が解除されて、開閉扉３０を開放することができる。開閉扉３０が開放されると、開閉扉３０は、図７に示すように、下部表板５６上に載置される状態になると共に、下端部３９が支持溝６２の上面に当接する。支持溝６２の上面には、前述したように、付勢部材６６が備えられているため、付勢部材６６によって下端部３９が付勢され、開閉扉３０が扉枠５０に対して動き難くなる。
【００５７】
上記のように、開閉扉３０が開放した状態で扉枠５０に支持されている場合、ほぼ水平となる状態で扉枠５０に対して保持されるため、パチンコ島台１の下部空間を視認するだけのような、開閉扉３０を取り外す必要のない場合には、開閉扉３０を扉枠５０に保持させることができ、開閉扉３０を取り外すことで開閉扉３０が傷付くということがない。また、開閉扉３０がほぼ水平となる状態で扉枠５０に対して保持されるため、玉揚送装置５に簡単な修理を施す等の場合に、工具の一部を開閉扉３０上に置くことができる。なお、このように、開放した開閉扉３０上に工具の一部を置くことができるものであるが、簡単な修理や応急処置等を行なうことができる程度の工具やネジ等を一時的に保管しておく収納箱等が開閉扉３０の裏面側に備え付けられているものであってもよい。通常、パチンコ島台１の点検は、工具等を携帯することなく行なうが、上記のように工具の一部や収納箱等が備えられていれば、パチンコ島台１の点検中に玉揚送装置５の修理等が必要になった場合であっても、それが簡単な修理であればわざわざ工具を取りに行く必要がなく、その場で修理を行なうことができる。
【００５８】
また、このように、開閉扉３０が扉枠５０に対して着脱できるように支持されているため、必要に応じて開閉扉３０を扉枠５０から容易に取り外すことができ、玉揚送装置５の点検、メンテナンス等を行なう際に開閉扉３０が邪魔になることがない。また、本実施形態に係る扉構造は、開閉扉３０を扉枠５０で支持する際、開閉扉３０の上端部を扉枠５０に挿入する構造ではなく、開閉扉３０の下端部のみを扉枠５０に挿入させる構造であるため、扉枠５０が低い位置にあり、カウンター台によって扉枠５０の上部が見え難い場合であっても、開閉扉３０を扉枠５０に容易に取り付けることができる。
【００５９】
また、開閉扉３０を開放する際、図９に示すように、左開閉扉３０ｂを開閉したときには、右開閉扉３０ａが左開閉扉３０ｂに追従して開閉するようになっている。これは、前述したように、左開閉扉３０ｂの保持部材３８が右開閉扉３０ａの金属板３７を吸着するためである。一方、右開閉扉３０ａを開閉したときには、左開閉扉３０ｂは右開閉扉３０ａに追従することがないため、右開閉扉３０ａが単独で開閉する。これは、保持部材３８が金属板３７を吸着する力よりも、係止装置６１が左開閉扉３０ｂの係止部材３５を係止する力の方が強いためである。このように、右開閉扉３０ａを開閉させるときには、右開閉扉３０ａだけが単独で開閉するが、左開閉扉３０ｂを開閉させるときには、右開閉扉３０ａも同時に開閉するため、例えば、玉揚送装置５と貯留タンク９との連結部分に備えられたシャッター装置１２等の、点検する頻度が高い箇所に単独で開閉する右開閉扉３０ａを臨ませることにより、必要以上に広い範囲で開閉扉３０を開放することなく、必要な箇所だけを開放することができる。そして、パチンコ島台１の下部空間のより広い範囲を視認したいときには、もう一方の左開閉扉３０ｂを開放させるだけで両方の開閉扉３０を同時に開放することができる。
【００６０】
なお、上記した保持部材３８として、金属板３７に吸着する磁性部材により構成されるものを示したが、このようなものに限らず、例えば、左開閉扉３０ｂの取手３４に手を掛けたときに、左開閉扉３０ｂから右開閉扉３０ａに向けて係合突起が突出し、この係合突起が右開閉扉３０ａに係合することによって右開閉扉３０ａを保持するようなものであってもよい。この場合、右開閉扉３０ａの取手３４に手を掛けても右開閉扉３０ａから左開閉扉３０ｂに向けて突起が突出するようなことはないため、右開閉扉３０ａは単独で開閉できるようになっている。
【００６１】
こうすることにより、一方の左開閉扉３０ｂを開閉するときに他方の右開閉扉３０ａが確実に一方の左開閉扉３０ｂに追従して開閉し、これにより、容易にパチンコ島台１の下部空間のより広い範囲を開放状態とすることができると共に、開閉扉３０全体を確実に閉塞状態とすることができるものである。
【００６２】
また、保持部材３８が磁性体により構成されると共に、吸着部材として金属板３７により構成されるものを示したが、このようなものに限らず、保持部材３８と吸着部材とが吸着して、着脱することができるものであればよく、例えば、マジックテープ（登録商標）のようなものであってもよい。
【００６３】
なお、図３乃至図１１に示す実施形態（以下、「第１実施形態」という。）においては、開閉扉３０に設けられる取手３４が、それぞれの開閉扉３０ａ,３０ｂの上部の左右方向中央に固定されたものを示した。このため、左開閉扉３０ｂの取手３４を手前側に引いたときに右開閉扉３０ａも同時に開放されるものの、左右の開閉扉３０ａ，３０ｂの中央に取手３４が存在しないため、左開閉扉３０ｂの開放動作時に比較的大きな力を必要とし、スムーズな開放動作が行えないことも考えられる。そこで、左右の開閉扉３０ａ，３０ｂを同時に開放する場合であっても、スムーズな開放動作を行うことができる他の実施形態（以下、「第２実施形態」という。）について図１４乃至図１７を参照して説明する。
【００６４】
図１４は、第２実施形態に係る開閉扉が閉鎖された状態の開閉扉と扉枠の斜視図であり、図１５は、第２実施形態に係る開閉扉と取手の関係を示す斜視図であり、図１６は、第２実施形態に係る開閉扉が閉鎖された状態の開閉扉と扉枠の断面図であり、図１７は、第２実施形態に係る開閉扉と取手の関係を示す正面図である。なお、図１４〜図１７において、図３乃至図１１に示す第１実施形態の開閉扉及び扉枠と同じ構成には、同じ符号を付した。
【００６５】
第２実施形態と第１実施形態の相違点は、第２実施形態において、左開閉扉３０ｂに設けられる可動取手３４ａが右開閉扉３０ａ方向にスライド可能に構成されている点である。このため、左開閉扉３０ｂには、図１５に示すように、その上部であって左右方向の中ほどから右開閉扉３０ａ方向に向けて水平な左スライド溝４０ｂが形成されている。この左スライド溝４０ｂは、上下が係合溝となるように断面略Ｔ字状に形成されている。一方、この左スライド溝４０ｂに挿入される可動取手３４ａは、その正面構造が第１実施形態の取手３４と同じであるが、その裏面に挟持片３４ｂが固着されている。挟持片３４ｂは、可動取手３４ａの裏面側の上辺部と下辺部との間に挟持空間が形成されるものであり、図１６に示すように、この挟持空間が左スライド溝４０ｂの上下辺部に形成される凸部（この凸部の裏面側が挟持片３４ｂが挿入される係合溝である。）と係合することにより、可動取手３４ａが左右方向にスライド可能に装着されるものである。また、図１４に示すように、左スライド溝４０ｂと同じ構造の右スライド溝４０ａが右開閉扉３０ａにも左スライド溝４０ｂと連続するように形成されている。ただし、右スライド溝４０ａの左右方向の長さは、可動取手３４ａの左右方向の寸法の半分である。そして、この右スライド溝４０ａと左スライド溝４０ｂとによって連続したスライド溝４０を構成するものである。
【００６６】
上記のように構成される第２実施形態に係る左開閉扉３０ｂに可動取手３４ａを装着するには、図１５（Ｂ）に示すように、左スライド溝４０ｂの開放側端部（右開閉扉３０ａと当接する端部）から挟持片３４ｂを左スライド溝４０ｂの上下の係合溝に挿入することにより、簡単に可動取手３４ａを左スライド溝４０ｂに装着することができる。
【００６７】
しかして、上記のように構成される第２実施形態に係る開閉扉３０においては、通常時、図１７（Ａ）に示すように、左開閉扉３０ｂの左スライド溝４０ｂに装着される可動取手３４ａを、左スライド溝４０ｂの閉塞端部に移動した位置で保持させる。この状態では、可動取手３４ａが左開閉扉３０ｂの上部であって左右方向のほぼ中央に位置している。したがって、この状態で右開閉扉３０ａだけを開放する場合には、右開閉扉３０ａのほぼ上部中央に固定配置される取手３４に指を入れて手前側に引くことにより簡単に開放することができる。
【００６８】
一方、左右の開閉扉３０ａ，３０ｂを同時に開放する場合には、図１７（Ｂ）に示すように、可動取手３４ａを右スライド溝４０ａの閉塞部に当接するまで移動させる。この場合には、可動取手３４ａの挟持片３４ｂが右スライド溝４０ａの係合溝だけではなく左スライド溝４０ｂの係合溝にもそれぞれ半分ずつ係合した状態となっている、換言すれば、左右の開閉扉３０ａ，３０ｂを一つの開閉扉３０として見た場合に、その一つの開閉扉３０の上部であって左右方向のほぼ中央に可動取手３４ａが位置していることになるため、可動取手３４ａに指を入れて手前側に引くことにより、左右の開閉扉３０ａ，３０ｂを同時にスムーズに開放することができる。
【００６９】
なお、可動取手３４ａを図１７（Ａ）の位置（単独開放位置）と図１７（Ｂ）の位置（同時開放位置）でそれぞれ簡単に移動しないような保持構造（例えば、磁石による保持構造、あるいはスライド溝にスライドを規制する規制突起を形成する保持構造）を設けてもよい。また、開閉扉３０の開放時に、可動取手３４ａが単独開放位置にあるか同時開放位置にあるかを知らせるための目印を設けてもよい。
【００７０】
また、上記した第２実施形態に係る開閉扉３０ａ，３０ｂの場合にも、保持部材３８を左開閉扉３０ｂに設けたものを示したが、この第２実施形態の場合には、保持部材３８及び金属板３７を省略してもよい。この場合には、可動取手３４ａを単独開放位置に保持したときに、右開閉扉３０ａを開放することなく左開閉扉３０ｂだけを開放することができるし、可動取手３４ａを同時開放位置に保持したときに、左右の開閉扉３０ａ，３０ｂを同時に開放することができる。更に、上記した第２実施形態に係る開閉扉３０ａ，３０ｂにおいては、右開閉扉３０ａの取手３４を固定とし、左開閉扉３０ｂの取手を可動取手３４ａとしたが、左開閉扉３０ｂには、取手を設けず、右開閉扉３０ａに単独開放位置と同時開放位置とにスライド可能な可動取手３４ａを設け、その可動取手３４ａを単独開放位置にしたときに右開閉扉３０ａを開放し、同時開放位置にしたときに左右の開閉扉３０ａ，３０ｂを同時に開放することができるようにしても良い。
【００７１】
なお、上記した第２実施形態から把握できる発明として、
（１）複数の遊技機２と、該遊技機２で使用され貯留タンク９に貯留された遊技媒体を上方へ揚送する玉揚送装置５と、該玉揚送装置５の下部に臨む開口部６８が形成された扉枠５０と、該扉枠５０に支持されると共に前記開口部６８を開放又は閉塞のいずれかにする開閉扉３０と、が設置された遊技機島台１において、前記扉枠５０の下部には、前記開閉扉３０の下端部３９が挿入される縦断面がほぼコ字形状の支持溝６２と、前記扉枠５０の前面側の一部を構成する下部支持部材５４，５６と、が備えられ、前記開閉扉３０は、前記下端部３９を前記支持溝６２に挿入し且つ前記開閉扉３０の上部裏面側に備えられた係止部材３５を前記扉枠５０に備えられた係止装置６１に係止させることにより、前記扉枠５０に対して着脱できるように支持されると共に、前記支持溝６２に挿入した前記下端部３９を支点として開閉扉３０の前面に設けられた取手３４に指をかけて手前側に回動することにより、前記開口部６８を開放する開放状態又は前記開口部６８を閉塞する閉塞状態のいずれかの状態となり、前記開閉扉３０が開放状態のときには、該開閉扉３０が前記下部支持部材５４，５６の上面に載置されると共に、前記下端部３９が前記支持溝６２に水平方向で挿入されることにより、前記開閉扉３０がほぼ水平となる状態で前記扉枠５０に対して保持され、更に、前記開閉扉３０は、左右方向に列設される左開閉扉３０ｂ及び右開閉扉３０ａにより構成され、前記左開閉扉３０ｂ又は前記右開閉扉３０ａのいずれか一方の開閉扉３０ｂには、前記取手３４が当該開閉扉３０ｂの左右方向ほぼ中央の単独開放位置から左右の開閉扉３０ａ，３０ｂを跨いだ同時開放位置までスライド可能な可動取手３４ａを設けたことを特徴とする遊技機島台。
（２）前記可動取手３４ａは、単独開放位置と同時開放位置で固定保持される保持機構を備えたことを特徴とする（１）記載の遊技機島台。
【００７２】
以上、本実施形態に係る開閉扉３０及び扉枠５０を中心としてパチンコ島台１の構成について説明してきたが、本実施形態に係るパチンコ島台１に備えられる上記した玉揚送装置５は、図２に示すように、下部ローラに駆動モータが内蔵された形式のものであるが、このようなものに限らず、図１２に示すような、下部ローラと駆動モータ８４とが別に設けられ、駆動モータ８４の駆動力を駆動ベルト８６とプーリ８５とにより下部ローラに伝えて下部ローラを回転させるようなものであってもよい。この場合、搬送ベルト５ａは、玉揚送装置５に取り付けられたステー８１で支持されるテンションローラ８０によって張力が与えられている。そして、このテンションローラ８０のうち、もっとも上方に位置するテンションローラ８０は、搬送ベルト５ａのズレを矯正するため、調整ネジ８３を回すことにより、その傾斜角度を調整することができるようになっている。
【００７３】
この調整ネジ８３は、従来、テンションローラ８０の上方に位置するように取り付けてあり、調整を行なうために調整ネジ８３を回す際には、開閉扉３０を扉枠５０から取り外してから行なっていた。しかしながら、近年、扉枠５０の高さが低く形成されることが多くなり、この場合、開閉扉３０だけでなく、扉枠５０もパチンコ島台１から取り外さなくては調整ネジ８３を回すことができず、手間のかかる作業となっていた。このため、図１２に示すように、調整ネジ８３をテンションローラ８０の下方に位置するように取り付けると共に、調整ネジ８３を回すためのレンチを通すことができるように、ステー８１に切欠き部８２を形成した。これにより、従来よりも低い位置で調整ネジ８３の調整を行なうことができるため、高さの低い扉枠５０であっても、扉枠５０をパチンコ島台１から取り外すことなく、調整ネジ８３の調整を行なうことができる。
【図面の簡単な説明】
【００７４】
【図１】実施形態に係るパチンコ島台の正面図である。
【図２】実施形態に係るパチンコ島台の内部を示す断面図である。
【図３】開閉扉が閉塞された状態の開閉扉と扉枠の斜視図である。
【図４】扉枠の支持溝に開閉扉を挿入する状態を示す断面図及び部分拡大図である。
【図５】扉枠に開閉扉を取り付けた状態を示す断面図である。
【図６】図５におけるＡ−Ａ断面図である。
【図７】開閉扉を水平な状態で扉枠により支持している状態を示す断面図である。
【図８】開閉扉のうち、右開閉扉を開放した状態を示す開閉扉及び扉枠の斜視図である。
【図９】右開閉扉及び左開閉扉を開放した状態を示す開閉扉及び扉枠の斜視図である。
【図１０】図９におけるＢからみた図である。
【図１１】誘導溝を示す部分断面図である。
【図１２】別の実施形態における玉揚送装置の下部の部分斜視図である。
【図１３】欄間の正面図及び平面図である。
【図１４】第２実施形態に係る開閉扉が閉鎖された状態の開閉扉と扉枠の斜視図である。
【図１５】第２実施形態に係る開閉扉と取手の関係を示す斜視図である。
【図１６】第２実施形態に係る開閉扉が閉鎖された状態の開閉扉と扉枠の断面図である。
【図１７】第２実施形態に係る開閉扉と取手の関係を示す正面図である。
【符号の説明】
【００７５】
１  パチンコ島台
２  パチンコ機
５  玉揚送装置
９  貯留タンク
３０  開閉扉
３０ａ  右開閉扉
３０ｂ  左開閉扉
３４  取手
３４ａ  可動取手
３４ｂ  挟持片
３８  保持部材
３９  下端部
４０  スライド溝
４０ａ  右スライド溝
４０ｂ  左スライド溝
５０  扉枠
６２  支持溝
６５  誘導溝
６７  保護部材
６８  開口部
【図１】
2007021186.tif 000003
【図２】
2007021186.tif 000004
【図３】
2007021186.tif 000005
【図４】
2007021186.tif 000006
【図５】
2007021186.tif 000007
【図６】
2007021186.tif 000008
【図７】
2007021186.tif 000009
【図８】
2007021186.tif 000010
【図９】
2007021186.tif 000011
【図１０】
2007021186.tif 000012
【図１１】
2007021186.tif 000013
【図１２】
2007021186.tif 000014
【図１３】
2007021186.tif 000015
【図１４】
2007021186.tif 000016
【図１５】
2007021186.tif 000017
【図１６】
2007021186.tif 000018
【図１７】
2007021186.tif 000019